(57)【要約】【課題】組み合わせの面積を必要に応じて変更することができるとともに、組み合わせ及び分解が簡単な組み合わせ式パレットを提供する。【解決手段】支持部と接続部とを含んでなる複数の積載部材と、表面に突起を具えてなる支持ベースを含んでなる少なくとも１以上の接続部材とを含んでなり、該突起を積載部材の接続部に挿設して複数の積載部材を組み合わせる。【選択図】図１
0003133823.tif 000002
【実用新案登録請求の範囲】
【請求項１】
支持部と接続部とを含んでなる複数の積載部材と、
表面に突起を具えてなる支持ベースを含んでなる少なくとも１以上の接続部材とを含んでなり、
該突起を積載部材の接続部に挿設して複数の積載部材を組み合わせることを特徴とする組み合わせ式パレット。
【請求項２】
前記積載部材が矩形を呈することを特徴とする請求項１に記載の組み合わせ式パレット。
【請求項３】
前記支持部が積載面を設けてなることを特徴とする請求項１に記載の組み合わせ式パレット。
【請求項４】
前記積載面が支持桿を網の目状に交互に接続して形成し、支持桿と支持桿とが接続する部分の間に複数の孔部が形成されることを特徴とする請求項３に記載の組み合わせ式パレット。
【請求項５】
前記支持桿が表面に対向するもう一方の面に補助桿が設けられることを特徴とする請求項４に記載の組み合わせ式パレット
【請求項６】
前記接続部が積載部材の四隅に設けられることを特徴とする請求項１に記載の組み合わせ式パレット。
【請求項７】
前記接続部が凹設した接続空間を具えてなることを特徴とする請求項６に記載の組み合わせ式パレット。
【請求項８】
前記接続空間が表面に４つの凸縁を具えてなることを特徴とする請求項７に記載の組み合わせ式パレット。
【請求項９】
前記凸縁が一端にガイド斜面を設けてなることを特徴とする請求項８に記載の組み合わせ式パレット。
【請求項１０】
前記凸縁がその中心に突起に対応する組み立て孔を形成することを特徴とする請求項８に記載の組み合わせ式パレット
【請求項１１】
前記支持ベースが表面に４本の突起を具えてなることを特徴とする請求項１に記載の組み合わせ式パレット。
【請求項１２】
前記突起が一側面に嵌合部を設けてなり、該嵌合部が組み立て孔に嵌合することを特徴とする請求項１に記載の組み合わせ式パレット。
【請求項１３】
前記積載部材が複数の積載部材との間に挟持部材を設けてなることを特徴とする請求項１に記載の組み合わせ式パレット。
【請求項１４】
前記挟持部材が固定部と係合部とを含んでなることを特徴とする請求項１３に記載の組み合わせ式パレット。
【請求項１５】
前記積載部材が係合部材を設けてなり、該係合部材に挟持部材の係合部が係合されることを特徴とする請求項１に記載の組み合わせ式パレット。
【考案の詳細な説明】
【技術分野】
【０００１】
この考案は、組み合わせ式パレットに関し、特に組み合わせる形態を変えることができる組み合わせ式パレットに関する。
【背景技術】
【０００２】
多くの小売業者、或いは倉庫業者はいずれも貨物の積み下ろしにパレットを利用している。従来のパレットは、関連法規及び軽量化に対する需要から、プラスチック、或いは紙などの材質から形成されている。
【０００３】
しかしながら、様々な使用者からみると、同じサイズのパレットは使用者の需要を満足させることができない。
【０００４】
パレットに関する製品では、アメリカ合衆国特許登録番号第ＵＳ６２３４０８７号公報は、組み合わせ式のパレットであって、単体のパレットの四隅にそれぞれ設けられた組み合わせ部材を通して組み立てる。該組み合わせ部材は４つの単体のパレットを組み合わせて１枚の大きなパレットを形成する。
【０００５】
しかしながら、前述のパレットは、単体のパレットの四隅に必ず組み合わせ部材を設けなければならないため、単体のパレットの構造が複雑になり、組み合わせる場合にも特定の方向にしか組み合わせることができず実用的でない。また、単体のパレットは四隅に組み合わせ部材が設けられているため、組み合わせたパレットを重ねて部屋の隅などに置く場合には適していない、該パレットは組み合わせたパレット以上の高さに積み重ねることを考慮していないなどの欠点があった。
【０００６】
さらに、アメリカ合衆国特許登録番号第ＵＳ５８８７５２９号公報も組み合わせ式のパレットであって、単体のパレットの四隅にそれぞれ形成された組み合わせ孔を通して、複数の組み合わせ部材を組み合わせ孔に貫通させて、４つの単体のパレットを組み合わせて１つの大きなパレットを形成する。
【０００７】
しかしながら、前述のパレットは、組み合わせたパレットの大きさである面積が固定され、必要に応じて拡大、或いは縮小することができない、パレットの部品が比較的複雑なため、大量に生産できない、該パレットは組み合わせたパレットの高さ以上に積み重ねることを考慮していないなどの改良点がある。
【考案の開示】
【考案が解決しようとする課題】
【０００８】
この考案は、組み合わせの面積を必要に応じて変更することができるとともに、組み合わせ及び分解が簡単な組み合わせ式パレットを提供することを課題とする。
【０００９】
また、この考案は、上方向に積み重ねることができる組み合わせ式パレットを提供することを課題とする。
【課題を解決するための手段】
【００１０】
そこで、本考案の考案者は従来の技術に見られる欠点に鑑みて鋭意研究を重ねた結果、支持部と接続部とを含んでなる複数の積載部材と、
表面に突起を具えてなる支持ベースを含んでなる少なくとも１以上の接続部材とを含んでなり、
該突起を積載部材の接続部に挿設して複数の積載部材を組み合わせる構造からなる打組み合わせ式パレット。
【００１１】
以下、この考案について具体的に説明する。
請求項１に記載する支持部と接続部とを含んでなる複数の積載部材と、
表面に突起を具えてなる支持ベースを含んでなる少なくとも１以上の接続部材とを含んでなり、
該突起を積載部材の接続部に挿設して複数の積載部材を組み合わせる。
【００１２】
請求項２に記載の組み合わせ式パレットは、請求項１における積載部材が矩形を呈する。
【００１３】
請求項３に記載の組み合わせ式パレットは、請求項１における支持部が積載面を設けてなる。
【００１４】
請求項４に記載の組み合わせ式パレットは、請求項３における積載面が支持桿を網の目状に交互に接続して形成し、支持桿と支持桿とが接続する部分の間に複数の孔部が形成される。
【００１５】
請求項５に記載の組み合わせ式パレットは、請求項４における支持桿が表面に対向するもう一方の面に補助桿が設けられる。
【００１６】
請求項６に記載の組み合わせ式パレットは、請求項１における接続部が積載部材の四隅に設けられる。
【００１７】
請求項７に記載の組み合わせ式パレットは、請求項６における接続部が凹設した接続空間を具えてなる。
【００１８】
請求項８に記載の組み合わせ式パレットは、請求項７における接続空間が表面に４つの凸縁を具えてなる。
【００１９】
請求項９に記載の組み合わせ式パレットは、請求項８における凸縁が一端にガイド斜面を設けてなる。
【００２０】
請求項１０に記載の組み合わせ式パレットは、請求項８における凸縁がその中心に突起に対応する組み立て孔を形成する。
【００２１】
請求項１１に記載の組み合わせ式パレットは、請求項１における支持ベースが表面に４本の突起を具えてなる。
【００２２】
請求項１２に記載の組み合わせ式パレットは、請求項１における突起が一側面に嵌合部を設けてなり、該嵌合部が組み立て孔に嵌合する。
【００２３】
請求項１３に記載の組み合わせ式パレットは、請求項１における積載部材が複数の積載部材との間に挟持部材を設けてなる。
【００２４】
請求項１４に記載の組み合わせ式パレットは、請求項１３における挟持部材が固定部と係合部とを含んでなる。
【００２５】
請求項１５に記載の組み合わせ式パレットは、請求項１における積載部材が係合部材を設けてなり、該係合部材に挟持部材の係合部が係合される。
【考案の効果】
【００２６】
この考案の組み合わせ式パレットは、構造が簡単で組み合わせや分解が工具を使用することなくできるため、実用的であるという効果を有する。
【考案を実施するための最良の形態】
【００２７】
この考案は、この考案は、組み合わせの面積を必要に応じて変更することができるとともに、組み合わせ及び分解が簡単な組み合わせ式パレットであって、支持部と接続部とを含んでなる複数の積載部材と、表面に突起を具えてなる支持ベースを含んでなる少なくとも１以上の接続部材とを含んでなり、該突起を積載部材の接続部に挿設して複数の積載部材を組み合わせる。
かかる組み合わせ式パレットの構造と特徴を詳述するために具体的な実施例を挙げ、図示を参照にして以下に説明する
【実施例】
【００２８】
図１は、この考案の組み合わせ式パレットの分解図を示したものである。図面によれば、組み合わせ式パレット１は、複数の積載部材１０と、少なくとも１以上の接続部材２０とを組み合わせて形成する。
【００２９】
該積載部材１０は、略矩形を呈してなり、支持部１１と接続部１２とを含んでなる。該支持部１１は、積載面１１１を設けてなる。該積載面１１１は、支持桿１１２を網の目状に交互に接続して形成し、支持桿１１２と支持桿１１２とが接続する部分の間に複数の孔部１１３が形成される。該孔部１１３は、積載部材１０の重量を軽減する目的を達成する。
【００３０】
上述の接続部１２は、積載部材１０の四隅に設けられ、且つ接続空間１２１が凹設され、該接続空間１２１は表面に４つの凸縁１２２を形成する。それぞれの凸縁１２２の中心には組み立て孔１２３が形成される。
【００３１】
上述の接続部材２０は、略矩形の立方体を呈してなり、支持ベース２１を具えてなる。該支持ベース２１は表面に４本の突起２２を具えてなる。該突起２２は前述の接続部１２の組み立て孔１２３に対応するように形成し、且つ突起２２の一側面に設けられた嵌合部２２２が、組み立て孔１２３に嵌合する。
【００３２】
図２−１及び２−２は、この考案の実施例を示したものである。この考案の組み合わせ式パレット１は、２枚の積載部材１０を６つの接続部材２０を通して組み合わせて形成する。２枚の積載部材１０とを接続する部分の中央に設けられる２つの接続部材２０は、２本の突起２２をそれぞれの積載部材１０の組み立て孔１２３に設けて接続する目的を達成する。即ち、２本の突起をそれぞれ一方の積載部材１０の組み立て孔１２３に設け、他の２本の突起をもう一方の積載部材１０の組み立て孔１２３に設けて接続する。
【００３３】
また、組み合わせ式パレット１の両端に位置する接続部材２０は、全ての突起を対応する積載部材１０の組み立て孔１２３に挿設して支持する目的を達成する。よって、接続部材２０が接続及び支持という２つの目的を達成する。
【００３４】
積載部材１０の支持桿１１２の表面に対向するもう一方の面には補助桿１１４が設けられ、積載部材１０の支持力の強度を高める目的を達成する。
【００３５】
また、図３は、この考案の他の実施例を示したものである。図面によれば、この実施例の組み合わせ式パレット１は、９枚の積載部材１０を１６個の接続部材２０を通して組み合わせて形成する。上述の実施例とこの実施例は、利用者の需要に応じて積載部材１０と接続部材２０とを組み合わせて組み合わせ式パレット１の面積を調整することができる。また、この考案の部材は直接、手で簡単に取り外すことができ、工具などを必要としないため、実用的である。
【００３６】
図４−１、４−２、４−３は、この考案のその他の実施例を示したものである。図面によれば、この考案のパレットは積載面積を必要に応じて拡大できるだけなく、複数の組み合わせ式パレット１を上方に積み重ねることができる。
【００３７】
注目するべき点では、接続部１２の凸縁１２２上にガイド斜面１２４が形成される。上方の接続部材２０を凸縁１２２に積み重ねる場合、ガイド斜面１２４を通して接続部材２０を接続空間１２１にガイドして位置決めする目的を達成する。
【００３８】
図５は、この考案の局部拡大図である。従来の組み合わせ式パレットは、上方に貨物を積載すると、積載部材と積載部材との接続箇所が外力で変形、或いは分離するなどの状況が度々発生していた。よって、この考案では、それぞれの積載部材１０の接続箇所に挟持部材３０を増設する。
【００３９】
該挟持部材３０は固定部３１と、係合部３２とを含んでなる。該固定部３１は、２つの積載部材１０を緊密に挟持する目的を達成するために供する。積載部材１０は、表面に係合部材１１５を設けてなり、該係合部材１１５上に挟持部材３０の係合部３２が係合される。よって、積載部材１０が外力によって変形することがない。
【００４０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００４１】
【図１】この考案の組み合わせ式パレットを示した分解図である。
【図２−１】この考案の組み合わせ式パレットを示した実施例である。
【図２−２】図２−１に開示する組み合わせ式パレットの底面を示した斜視図である。
【図３】この考案の組み合わせ式パレットの他の実施例を示した説明図である。
【図４−１】この考案の組み合わせ式パレットのその他の実施例を示した説明図である。
【図４−２】図４−１に開示する組み合わせ式パレットを示した局部拡大図である。
【図４−３】図４−１に開示する組み合わせ式パレットを示した別の局部拡大図である。
【図５】この考案の組み合わせ式パレットを示した局部拡大図である。
【符号の説明】
【００４２】
１ 組み合わせ式パレット
１０ 積載部材
１１ 支持部
１１１ 積載面
１１２ 支持桿
１１３ 孔部
１１４ 補助桿
１１５ 係合部材
１２ 接続部
１２１ 接続空間
１２２ 凸縁
１２３ 組み立て孔
１２４ ガイド斜面
２０ 接続部材
２１ 支持ベース
２２ 突起
２２２ 嵌合部
３０ 挟持部材
３１ 固定部
３２ 係合部
【図１】
0003133823.tif 000003
【図２−１】
0003133823.tif 000004
【図２−２】
0003133823.tif 000005
【図３】
0003133823.tif 000006
【図４−１】
0003133823.tif 000007
【図４−２】
0003133823.tif 000008
【図４−３】
0003133823.tif 000009
【図５】
0003133823.tif 000010